(57)【要約】【課題】分電盤内に所定数以上の分電用機器を誤って接続することを防止できるように分電盤を構成する際の作業性が向上できるとともに部品の管理コストや製造コストが低減でき、なおかつ、将来的に分電用機器を増設する際においても増設に伴う作業工数及び作業コストが増大することなく、安全、安価に分電用機器接続防止手段を備えた分電盤を提供すること【解決手段】複数の分電用機器が、各々接続する導体装置の接続部に接続されて所定の位置に配設されてなる分電盤において、前記導体装置に設けられた複数の前記接続部のうち一部の接続部に前記分電用機器を接続することを防止する分電用機器接続防止手段が前記導体装置に設けられることを特徴として分電用機器接続防止手段を備えた分電盤を提供した。【選択図】      図１
2007325444.tif 000002
【特許請求の範囲】
【請求項１】
複数の分電用機器が、
前記複数の分電用機器を各々接続する導体装置の接続部に接続されて所定の位置に配設されてなる分電盤において、
前記導体装置に設けられた複数の前記接続部のうち
一部の接続部に前記分電用機器を接続することを防止する分電用機器接続防止手段が
前記導体装置に設けられることを特徴とする分電用機器接続防止手段を備えた分電盤。
【請求項２】
前記分電用機器接続防止手段には、
前記導体装置と係止する係止手段が一体に形成されて構成されることを特徴とする
請求項１記載の分電用機器接続防止手段を備えた分電盤。
【請求項３】
前記分電用機器接続防止手段は、
前記導体装置を跨ぐよう略コの字状に構成されることを特徴とする
請求項１乃至請求項２記載の分電用機器接続防止手段を備えた分電盤。
【発明の詳細な説明】
【技術分野】
【０００１】
本発明は、分電盤に設けられた導体装置に分電用機器の接続を防止する分電用機器接続防止手段を備えた分電盤に係り、特に、分電盤を、分電用機器の誤った接続を防止できるように構成する際の作業性を向上させるようにした分電盤に関する。
【背景技術】
【０００２】
一般的に、分電盤は、主開閉器と複数の分電用機器を導体装置で接続し、これらを筐体内に収納した構成となっている。導体装置は、例えば図６に記載されたように、第１の電圧相の導体と、中性相の導体と、第２の電圧相の導体と、が絶縁ブロックに絶縁状態で保持された構造となっており、該導体装置の一端には主開閉器が接続され、他端方向には分電用機器を接続するための接続部が複数設けられる構造となっている。
【０００３】
前記導体装置に接続される分電用機器の数は、該導体装置の電気容量や主開閉器の定格容量などに応じて定められており、分電盤を製造する際には所定の数だけの分電用機器を分電盤に取付け、その状態で提供を行う。
【０００４】
なお、導体装置の電気容量や主開閉器の定格容量などに応じて種々の分電盤を利用者に提供することが必要であるが、該種々の分電盤を製造するにあたり、製品の管理コストや製造コストを低減させるために、部品の種類を低減させるために共用化を行うことが一般的であり、例えば導体装置の共用化を行い部品種類の低減を行うことがある。
【０００５】
導体装置の共用化の例として、前述したように分電盤に設けられる分電用機器の数は、主開閉器の定格容量の大きさに応じて定められるが、例えば所定の分電用機器の個数が１２個として構成される分電盤において、前記導体装置を分電用機器の接続個数が１６個までのものを共用して用いる場合がある。
【０００６】
この場合、前記導体装置には１６個の接続部が設けられており、これらのうち４個の不接続部分が生ずる。そして、これらの４個の不接続部分には分電用機器の取り付けがなされないように、図５に示したように、該分電用機器を各々接続する導体装置の接続部と電気的に接続される導体部分を取り外したり、切断除去する作業を行っていた。
【０００７】
【特許文献１】特開２００６−８１３０６号公報
【発明の開示】
【発明が解決しようとする課題】
【０００８】
しかしながら、分電用機器を各々接続する導体装置の接続部と電気的に接続される導体部分を取り外したり、切断除去する作業には、該接続部の取外し、または切断除去に要する作業に多大な工数がかかり生産性の効率が下がる要因となっていた。また、該接続部を取外した後は充電部が露出した構造となっており、誤って充電部に触れることによる感電事故の可能性があるという課題があった。
【０００９】
また、前記接続部の取り外し、または切断除去を行わない場合でも、次のような課題がある。
【００１０】
通常、分電盤に設けられるカバーには分電用機器を操作するための開口部が設けられている。前記開口部は、所定の分電用機器の個数分（１２個）に対応した数の開口部若しくは所定の分電用機器の個数分に対応した大きさの開口部を設けておくが、分電盤を取付け施工する際には、前記カバーを取外して施工するため、
前記接続部の取り外し、または切断除去を行わない場合には、
該接続部に対して、あたかも分電用機器の取付けが可能であるかのような誤解を作業者に与えてしまうおそれがあった。
【００１１】
さらに、一旦、前記接続部の取り外し、または切断除去を行ってしまうと、将来的に分電用機器の増設が必要となった場合には、本来では主開閉器を定格容量の大きな開閉器に置き換えることにより対応できるところが、導体装置そのものの取替えが必要となってしまい、導体装置の取替えに伴って、分電用機器の取外し／取付けや電線の再施工が必要となるなど、結果的には分電盤自体を取替える場合と略等しい作業工数がかかることとなり、分電用機器の増設に伴う作業工数の増大と、増設に伴うコストが増大するという課題があった。
【００１２】
そこで本件の発明の目的とするところは、分電盤内に所定数以上の分電用機器を誤って接続することを防止できるように分電盤を構成する際の作業性が向上できるとともに部品の管理コストや製造コストが低減でき、なおかつ、将来的に分電用機器を増設する際においても増設に伴う作業工数及び作業コストが増大することなく、安全、安価に分電用機器接続防止手段を備えることができる分電盤を提供することを目的としている。
【課題を解決するための手段】
【００１３】
上述の目的を達成するために、本発明の請求項１では、  
前記複数の分電用機器が、各々接続する導体装置の接続部に接続されて所定の位置に配設されてなる分電盤において、前記導体装置に設けられた複数の前記接続部のうち一部の接続部に前記分電用機器を接続することを防止する分電用機器接続防止手段が前記導体装置に設けられることを特徴として分電用機器接続防止手段を備えた分電盤を提供したものである。
【００１４】
これにより、分電盤のカバーを取外した状態においても、所定の数以上の分電用機器を、分電盤内に誤って取付けることを作業者に誤解を与えることなく明確に防止することができ、また、将来的に分電用機器の増設が必要となった場合においては、主開閉器を定格容量の大きなものに取替え、分電用機器接続防止手段を取外すことにより、所望の分電用機器を増設することができる。
【００１５】
また請求項２では、前記分電用機器接続防止手段には、
前記導体装置と係止する係止手段が一体に形成されて構成されることを特徴として
請求項１記載の分電用機器接続防止手段を備えた分電盤を提供したものである。
【００１６】
これにより、分電用機器接続防止手段を備えた分電盤を構成する際において、前記係止手段を用いて導体装置に係止するだけで取付けを行うことができるため、作業性良く分電用機器接続防止手段を分電盤に備えることができ、また、将来的に分電用機器の増設が必要となった場合においても、比較的容易に取外しを行うことができる。
また、係止手段を一体に形成しているため、安価に分電用機器接続防止手段を設けることができる。
【００１７】
また請求項３では、
前記分電用機器接続防止手段は、
前記導体装置を跨ぐよう略コの字状に構成されることを特徴として
請求項１乃至請求項２記載の分電用機器接続防止手段を備えた分電盤を提供したものである。
【００１８】
これにより、分電用機器接続防止手段を設けるにあたり、導体装置の導体部分を包括して覆うことができるため、導体装置の充電部に誤って触れることによる感電事故を防止することができる。
【発明の効果】
【００１９】
本発明によれば、分電盤内に所定数以上の分電用機器を誤って接続することを防止できるように分電盤を構成する際の作業性が向上できるとともに分電盤を構成する部品の管理コストや製造コストが低減でき、なおかつ、将来的に分電用機器を増設する際においても増設に伴う作業工数及び作業コストが増大することなく、安全、安価に分電用機器接続防止手段を備えることができる分電盤を提供することができる。
【発明を実施するための最良の形態】
【００２０】
以下、本発明の実施の形態について、図面を用いて詳細に説明する。
【００２１】
図１は本発明に係る分電盤の実施の形態を示した図である。分電盤１００は、キャビネット１０１の内部に主開閉器１０２と、該主開閉器１０２と電気的に接続される導体装置１０４と、該導体装置１０４に接続され所定の位置に配設された分電用機器１０３と、導体装置１０４の一部に分電用機器を接続することを防止する分電用機器接続防止手段１０５と備えて構成された分電盤である。
【００２２】
分電用機器の例としては、分電盤に通常用いられる分岐開閉器や、該分岐開閉器と略同形状をした避雷器、地震の発生を感知して外部に出力信号を出力する機能を有する機器など種々のものがある。
【００２３】
キャビネット１０１は、ボックス１０１０とパネル１０１１と中底１０１２とを備えて構成される。ボックス１０１０は、分電盤の上下左右の側面及び背面を覆う壁を形成するものである。中底１０１２は、主開閉器１０２や導体装置１０４や分電用機器１０３などの内部機器を取付ける取付け板であり、該内部機器は、この中底１０１２に取付けられた状態で一体のものとしてボックス１０１０に載設される。
【００２４】
導体装置１０４は、第１の電圧相の導体と、中性相の導体と、第２の電圧相の導体と、が絶縁ブロックに絶縁状態で保持された構造となっており、該導体装置の一端には主開閉器が接続され、他端方向には分電用機器を接続するための接続部が複数設けられる構造となっている。
【００２５】
前記導体装置に接続される分電用機器の数は、該導体装置の電気容量や主開閉器の定格容量などに応じて定められる。
【００２６】
パネル１０１１は、ボックス１０１０と組み合わされ、カバーを取り外すことなく前記主開閉器１０２や分電用機器１０３の開閉操作や視認ができるよう、一部に開口部が設けられて分電盤の前面全体を覆うように構成されたものである。
【００２７】
感電防止カバー１０６は前記導体装置１０４に設置されて、該導体装置の充電部を覆うものである。
【００２８】
図２、図３は、は分電盤１００への分電用機器接続防止手段１０５の取付け前及び取付け後の状態を示したものである。
【００２９】
導体装置１０４における分電用機器１０３を接続しない部分に分電用機器接続防止手段１０５を取付けることにより、分電用機器１０３を導体装置１０４に接続することを防止できるとともに、分電盤を施工する作業者に対して分電用機器を接続できないことを明確に伝えることができる。
【００３０】
図４は、分電用機器接続防止手段１０５の一例を示した図である。図４（ａ）に示したように、該分電用機器接続防止手段１０５の外形状は略コの字状をしており、該分電用機器接続防止手段１０５を、前記導体装置１０４を跨いで覆い被せるように装着することにより、該導体装置１０４の接続部１０４１を覆い、該分電用機器接続防止手段１０５を装着した後は、外部から該接続部１０４１が視認できないように設けられる。
【００３１】
また、分電用機器接続防止手段１０５には、係止手段１０５１が一体に設けられており、該係止手段１０５１には前記導体装置１０４との引掛部１０５１ａが形成されている。
【００３２】
導体装置１０４に、該分電用機器接続防止手段１０５を覆い被せるように装着する場合、前記引掛部１０５１ａが導体装置１０４の被引掛部１０４ａと嵌合することによって係止される。なお、係止の強さは、前記引掛部１０５１ａの形状や大きさを適宜設けることにより自在に変更可能である。
【００３３】
このように、導体装置１０４の接続部１０４１を除去したり折り取る場合と比較して、分電用機器接続防止手段１０５を導体装置１０４に跨ぐように覆い被せるだけで装着作業が完了するため、作業コストを低く分電用機器接続防止手段を供えた分電盤を提供することができる。
【００３４】
また、将来的に、分電盤に分電用機器を増設させる場合においても、主開閉器１０２の定格容量を適宜変更し、分電用機器接続防止手段を取外すだけで増設させることが可能なため、効率よく分電用機器の増設を行うことができる。
【産業上の利用可能性】
【００３５】
以上のように、分電盤に分電用機器接続防止手段を設けることにより、所定の数以上の分電用機器の接続を防止できる分電盤を提供することができる。また、将来的に分電用機器の増設を行う場合においても、分電盤自体を取り替えることなくコストを低く増設を行うことが可能になる。
【００３６】
また、実施の形態においては、分電盤内における分電用機器の並設方向を幅方向とした場合に、分電用機器接続防止手段の幅方向の大きさを、分電用機器の幅方向の大きさと略同一として設けた例を示したが、分電用機器接続防止手段の幅方向の大きさを、該分電用機器の幅方向の整数倍の大きさに設けて構成し、前記分電用機器の並設方向における複数の分電用機器に相当する接続部を一度に覆うような構成としてもよい。これにより、導体装置に対して、分電用機器の接続個数が少ない場合などに、分電用機器接続防止手段を装着する回数が減らせ、より作業効率が上がるという効果がある。
【００３７】
なお、本発明は、実施の形態に限定されることなく、発明の要旨を逸脱しない限りにおいて、適宜、必要に応じて、改良や設計変更は自由であり、例えば、分電用機器接続防止手段の形状は、分電用機器を導体装置に対して接続が行えないような形状であればよく、前述した略コの字状のほか、例えば前記分電用機器接続防止手段の形状を略平板形状とし、該平板形状の一端及び他端が分電用機器と当接することにより、前記分電用機器を導体装置に対して接続が行えないように設けてもよい。また、前記係止手段の配設位置や形状についても導体装置に合わせて適宜変更が可能であり、導体装置に係止可能な形状であればよいものである。
【図面の簡単な説明】
【００３８】
【図１】本発明の実施の形態を示す分電盤
【図２】分電用機器接続防止手段を取付ける前を示す図
【図３】分電用機器接続防止手段を取付けた後を示す図
【図４】分電用機器接続防止手段の詳細図
【図５】接続部を除去した図
【図６】背景技術を示す図
【符号の説明】
【００３９】
１００  分電盤
１０１  キャビネット
１０１０  ボックス
１０１１  パネル
１０２  主開閉器
１０３  分電用機器
１０４  導体装置
１０５  分電用機器接続防止手段
１０５１  係止手段
１０６  感電防止カバー
【図１】
2007325444.tif 000003
【図２】
2007325444.tif 000004
【図３】
2007325444.tif 000005
【図４】
2007325444.tif 000006
【図５】
2007325444.tif 000007
【図６】
2007325444.tif 000008